(57)【要約】【課題】簡単な印刷工程だけにより、文字等が立体的に視認できる装飾シートを提供することを目的とする。【解決手段】透明な平板状部材で構成された基材２０と、基材の観察側と反対側をなす一方の表面に形成され、観察側から視認されるべき表示領域の周縁から所定の距離だけ離れて配置され所定の領域と所定の厚さ寸法を備える第１インク層１１と、基材の一方の面に形成され、第１インク層の表示領域側に表示領域の輪郭に沿って第１インク層の内側縁にかぶせて配置され、所定幅寸法と所定の厚さ寸法とを備える透明インク層１２と、基材の一方の表面の全面に第１インク層及び透明インク層を覆って形成された第２インク層１３と、を備える装飾シート１０であり、観察側から視認したとき表示領域が背景から浮き上がって見える。【選択図】図１
0003205986.tif 000002
【実用新案登録請求の範囲】
【請求項１】
透明な平板状部材で構成された基材と、
前記基材の観察側と反対側をなす一方の表面に形成され、観察側から視認されるべき表示領域の周縁から所定の距離だけ離れて配置され所定の領域と所定の厚さ寸法を備える第１インク層と、
前記基材の一方の面に形成され、前記第１インク層の前記表示領域側に前記表示領域の輪郭に沿って前記第１インク層の内側縁にかぶせて配置され、所定幅寸法と所定の厚さ寸法とを備える透明インク層と、
前記基材の一方の表面の全面に前記第１インク層及び前記透明インク層を覆って形成された第２インク層と、
を備え、観察側から視認したとき前記表示領域が浮き上がって見えることを特徴とする装飾シート。
【請求項２】
前記第１インク層及び前記第２インク層は金属色、有彩色、無彩色の有色インクで形成されることを特徴とする請求項１に記載の装飾シート。
【請求項３】
前記第２インク層は、前記第１インク層と同色又は異なる色であることを特徴とする請求項１又は請求項２に記載の装飾シート。
【請求項４】
前記基材の前記一方の表面のうち前記表示領域及び前記透明インク層を除く領域には透明インクで形成された規則的な縞模様をなす背景模様表示部を形成したことを特徴とする請求項１から請求項３までのいずれか一項に記載の装飾シート。
【請求項５】
前記透明インク層は紫外線を受けて硬化するＵＶインクで形成されることを特徴とする請求項１から請求項３までのいずれか一項に記載の装飾シート。
【請求項６】
前記第１インク層、前記透明インク層、及び前記第２インク層及び前記背景模様表示部のうち少なくとも一つの層はシルクスクリーン印刷で形成されることを特徴とする請求項１から請求項５までのいずれか一項に記載の装飾シート。
【考案の詳細な説明】
【技術分野】
【０００１】
本考案は、表示した文字等が立体的に視認される装飾シートに関する。
【背景技術】
【０００２】
企業名、商標、ロゴマーク、文字等を表示する装飾部材として、金属板や合成樹脂板に文字等を立体的に表示しているものがある。このような装飾部材は、従来金属板であれば型を用いたプレス加工やエッチングで製造され、合成樹脂板であれば金型を用いた型成型等で製造される。
【０００３】
また、実際には文字等を立体的に形成していないが、合成樹脂で複数の層を形成して、文字等が立体的に視認されるようにした装飾部材が提案されている。
【０００４】
特許文献１には、樹脂製の装飾部材として、透明樹脂層と、前記透明樹脂層の表面に部分的に配置された投射層と、前記透明樹脂層の裏面の装飾を意図する領域に配置され、かつ前記投射層から投影される投影像が映し出されるスクリーン層からなる装飾部材において、その輪郭線が前記投射層の輪郭線と重なるか、又は、その輪郭線が前記投射層の輪郭線よりも外側に位置するかし、かつ前記投射層を隠蔽してその形成領域に周囲と同一の色を呈させるカバー層を更に備えたものが開示されている。
【０００５】
また、特許文献２には、樹脂製の装飾部材として、透明基板の反視認側に、透明な接着剤層を介して、透明シートが貼着されており、前記透明シートの反視認側に、立体表示対象の図柄を含む所望の意匠を表現するための複数のインク層からなる印刷層が印刷により形成されてなり、前記印刷層の前記図柄に対応する領域が前記透明シート側へ押出形成されており、前記透明基板の視認側から、前記透明基板、前記接着剤層及び前記透明シートを通して立体的に目視可能に形成されるものが記載されている。
【特許文献１】特許第４８２３０７４号公報
【特許文献２】特許第５７０７１７６号公報
【考案の開示】
【考案が解決しようとする課題】
【０００６】
しかし、金属製あるいは合成樹脂製の銘板にあっては、金型は高価であるし、また大量生産を前提としているため、文字等を立体的に認識できる銘板を安価に小ロットで製造することができない。
また、特許文献１記載の技術は、構成が複雑であり製造に金型を使用する必要があるし、特許文献２に記載の技術は、図柄に対応する領域をプレス加工する必要がある。
このため、上述のような文字等が立体的に視認できる装飾板を簡単に製造できる技術が要望されている。
【０００７】
本考案は上述した課題に鑑みてなされたものであり、簡単な印刷工程だけにより、文字等が立体的に視認できる装飾板を提供することを目的とする。
【課題を解決するための手段】
【０００８】
前記課題を解決する請求項１に記載の考案は、透明な平板状部材で構成された基材と、前記基材の観察側と反対側をなす一方の表面に形成され、観察側から視認されるべき表示領域の周縁から所定の距離だけ離れて配置され所定の領域と所定の厚さ寸法を備える第１インク層と、前記基材の一方の面に形成され、前記第１インク層の前記表示領域側に前記表示領域の輪郭に沿って前記第１インク層の内側縁にかぶせて配置され、所定幅寸法と所定の厚さ寸法とを備える透明インク層と、前記基材の一方の表面の全面に前記第１インク層及び前記透明インク層を覆って形成された第２インク層と、を備え、観察側から視認したとき前記表示領域が浮き上がって見えることを特徴とする装飾シートである。
本考案によれば、表示領域の周囲に透明インク層が形成され、その周囲に第１インク層が形成される。このとき、透明インク層が第１インク層の裏側に回り込んで配置されているため、観察側からは表示領域の外側に透明インク層が配置され、更に透明インク層の外側に第１インク層が観察される。このとき、第１インク層の裏側には第２インク層で挟まれた領域は透明インク層で袋状領域が形成される。
この状態で、光が基材から入射したとき、透明インク層に隣接する第２インク層の側面及び第１インク層の端面の一方が光を反射し他方は影となり、表示領域が目立ち、透明インク層の厚み以上に表示領域が立体的に観察される。
また、第１インク層と第２インク層に挟まれた透明インク層の袋状領域は常に影になるため、第２インク層の立ち上げ部分の光と影がより際立ち立体的に観察される。
【０００９】
請求項２に記載の考案は、前記第１インク層及び前記第２インク層は金属色、有彩色、無彩色の有色インクで形成されることを特徴とする。
本考案によれば、様々な色のインクにより装飾シートを製造することができる。特に金属色、例えば銀色のインクを使用すれば、あたかも金属製のようであると認識される装飾シートを印刷工程だけで安価に製造できる。また、所望の色味の金属色を実現できる他、第１インク層の色を黒色、白色その他の色とすることで、つやのある、漆、ほうろう等の外観を模した装飾シートを印刷工程だけで安価に製造できる。
【００１０】
請求項３に記載の考案は、前記第２インク層は、前記第１インク層と同色又は異なる色であることを特徴とする。
本考案によれば、第２インク層の中に第１インク層で表示した表示領域を立体的に表示できる。このとき同色の場合は、背景と同一色で表示領域を立体的に表示でき、異なる色の場合は背景中に異なる色の表示領域を立体的に表示できる。
【００１１】
請求項４に記載の考案は、前記基材の前記一方の表面のうち前記表示領域及び前記透明インク層を除く領域には透明インクで形成された規則的な縞模様をなす背景模様表示部を形成したことを特徴とする。
本考案によれば、規則的な縞模様中に第２インク層で表示される表示領域を立体的に表示できる他、縞模様が観察方向によって見え方が変化し、装飾性に富んだ装飾シートを提供できる。
【００１２】
請求項５に記載の考案は、前記透明インク層は紫外線を受けて硬化するＵＶインクで形成されることを特徴とする。
本考案によれば、透明インク層をＵＶインクで形成するので、透明インク層を紫外線の照射により短時間で確実に硬化させることができる。また、透明インク層の厚さ寸法を大きくすることができる。このため、表示領域の立体感を一層際立たせることができる。
【００１３】
請求項６に記載の考案は、前記第１インク層、前記透明インク層、及び前記第２インク層及び前記背景模様表示部のうち少なくとも一つの層はシルクスクリーン印刷で形成されることを特徴とする。
本考案によれば、各インク層をシルクスクリーン印刷で製造するので、所望のデザインの装飾シートを、大がかりな設備を必要とすることなく、安価に、また明瞭な文字、模様等を表示した良好な形成状態で製造できる。
【考案の効果】
【００１４】
本考案によれば、文字等が立体的に視認できる装飾シートを簡単な印刷工程だけにより製造できる。
【００１５】
即ち請求項１に記載の装飾シートによれば、透明インク層に隣接する第２インク層の側面及び第１インク層の端面の一方が光を反射し他方は影となり、表示領域が目立ち、透明インク層の厚み以上に表示領域が立体的に観察される。また、第１インク層と第２インク層に挟まれた透明インク層の袋状領域は常に影になるため、第２インク層の立ち上げ部分の光と影がより際立ち立体的に観察される。
【００１６】
請求項２に記載の装飾シートによれば、様々な色のインクにより装飾シートを製造することができる。特に金属色、例えば銀色のインクを使用すれば、あたかも金属製のようであると認識される装飾シートを印刷工程だけで安価に製造できる。また、所望の色味の金属色を実現できる他、第１インク層の色を黒色、白色その他の色とすることで、つやのある、漆、ほうろう等の外観を模した装飾シートを印刷工程だけで安価に製造できる。
【００１７】
請求項３に記載の装飾シートによれば、第２インク層の中に第１インク層で表示した表示領域を立体的に表示できる。このとき同色の場合は、背景と同一色で表示領域を立体的に表示でき、異なる色の場合は背景中に異なる色の表示領域を立体的に表示できる。
【００１８】
請求項４に記載の装飾シートによれば、規則的な縞模様中に第２インク層で表示される表示領域を立体的に表示できる他、縞模様が観察方向によって見え方が変化し、装飾性に富んだ装飾シートを提供できる。
【００１９】
請求項５に記載の考案によれば、透明インク層をＵＶインクで形成するので、透明インク層を紫外線の照射により短時間で確実に硬化させることができ、また、透明インク層の厚さ寸法を大きくすることができる。このため、表示領域の立体感を一層際立たせることができる。
【００２０】
請求項６に記載の考案によれば、各インク層をシルクスクリーン印刷で製造するので、所望のデザインの装飾シートを大がかりな設備を必要とせず、安価に、また明瞭な文字、模様等を表示した良好な形成状態で製造できる。
【図面の簡単な説明】
【００２１】
【図１】本考案の基本的な構成を示すものであり、（ａ）は平面図、（ｂ）は（ａ）中のＢ−Ｂ線に相当する断面図、（ｃ）は表示領域として文字を表示した場合を示す平面図である。
【図２】本考案の第１実施形態に係る装飾シートを示すものであり、（ａ）は観察状態を示す模式図、（ｂ）は製造した装飾シートを示す写真、（ｃ）は（ａ）中のＣ−Ｃ線に相当する拡大断面図である。
【図３】本考案の第２実施形態に係る装飾シートを示すものであり、（ａ）は装飾シート断面を示す模式図、（ｂ）は観察状態を示す模式図、（ｃ）は製造した装飾シートを示す写真である。
【図４】本考案の第３実施形態に係る装飾シートを示すものであり、（ａ）は背景の模様を示す模式図、（ｂ）は断面を示す模式図である。
【図５】本考案の第３実施形態に係る装飾シートを示すものであり、（ａ）は観察状態を示す模式図、（ｂ）は製造した装飾シートを示す写真である。
【考案を実施するための最良の形態】
【００２２】
本考案を実施するための形態に係る装飾シートについて説明する。まず、装飾シートの基本的な構成について説明する。図１は本考案の基本的な構成を示すものであり、（ａ）は平面図、（ｂ）は（ａ）中のＢ−Ｂ線に相当する断面図、（ｃ）は表示領域として文字を表示した場合を示す平面図である。
【００２３】
装飾シート１０は、基材２０の一方側（図１（ｂ）の１０Ａ側）から観察したとき、文字等を表示する表示領域１４が立体視できる状態で視認される。
【００２４】
本実施形態に係る装飾シート１０では、基材２０の両表面のうち観察側１０Ａと反対側の面である裏面２０Ａに第１インク層１１、透明インク層１２、第２インク層１３を形成する。観察者は、基材２０を透過して第１インク層１１、透明インク層１２、第２インク層１３を視認する。図１では、第１インク層１１及び第２インク層１３に異なる方向のハッチングが施してある。第１インク層１１及び第２インク層１３の色は適宜選択できる。また、透明インク層１２は紫外線が照射されることで硬化するＵＶインクである。透明インク層１２をＵＶインクで形成するのは、硬化時間を短縮するためと透明インク層１２の厚さ寸法を確保するためである。
【００２５】
また、第１インク層１１、透明インク層１２、第２インク層１３はシルクスクリーン印刷により記載の順に基材２０に形成される。即ち、第１インク層１１を形成したのち、透明インク層１２を形成して紫外線を照射して硬化させ、更に第２インク層１３を形成する。
【００２６】
第１インク層１１は、観察側から視認されるべき表示領域１４の周縁から所定の距離だけ離れて配置され所定の領域と所定の厚さ寸法を備えるように形成される。また、透明インク層１２は、第１インク層１１の表示領域１４側に表示領域１４の輪郭に沿って第１インク層１１の内側縁にかぶせて配置される。透明インク層１２は、所定幅寸法と所定の厚さ寸法とを備える。
【００２７】
第２インク層１３は、基材２０の裏面２０Ａの全域にわたり第１インク層１１及び透明インク層１２を覆って形成される。
【００２８】
基材２０に第１インク層１１、透明インク層１２、第２インク層１３を形成することにより、視認側（１０Ａ側）からは、図１（ａ）（ｂ）に示すように観察される。即ち、装飾シート１０は、表示領域１４の周囲に、所定幅寸法を備える透明インク層１２が表示され、更にその周囲に第１インク層１１が、更にその周囲に第２インク層１３が表示される。
【００２９】
そして、図１（ｂ）に示すように、透明インク層１２は、第１インク層１１にかぶせて形成されている。このため、透明インク層１２のうち第１インク層１１と第２インク層１３とで挟まれた袋状領域１５が形成される。
【００３０】
このようにして、表示領域１４で「ＨＤ」の文字を描くように第１インク層１１、透明インク層１２、第２インク層１３を形成する。すると、図１（ｃ）に示すように、表示領域１４の周囲に透明インク層１２が、その周囲に第１インク層１１が、更にその周囲に第２インク層１３が形成される。
また、表示領域１４のうち「Ｄ」の中抜き部にも、透明インク層１２、第１インク層１１、第２インク層１３が表示される。
【００３１】
このような構造を備える本実施形態に係る装飾シートにおいて、第１インク層１１及び第２インク層１３の色彩等を変更することにより、様々な装飾シートを製造できる。
例えば、第１インク層１１と第２インク層１３とを同色にすると、第１インク層１１と第２インク層１３との境界が目立たなくなり、第１インク層１１と第２インク層１３とが一体のものとして認識される。そして、第１インク層１１と第２インク層１３とを金属色とすることにより、装飾シート１０があたかも金属製であるかのように視認させることができる。
【００３２】
この状態で、装飾シート１０は、表示領域１４が第１インク層１１及び第２インク層１３から浮き上がって立体的に観察されることとなる。光が基材２０に入射したとき、透明インク層１２に隣接する第２インク層１３の境界側面及び第１インク層１１の境界側面の一方が光を反射し他方は影となる。これにより表示領域１４が目立ち、透明インク層１２の厚み以上に表示領域が立体的に表示される。また、第１インク層１１と第２インク層１３に挟まれた透明インク層１２の袋状領域１５部分は常に影になる。このため、第２インク層１３の境界側面の光と影がより際立ち立体的に観察される。
【００３３】
以下、本考案に係る装飾シートの実施形態について説明する。以下の例は、装飾シートの表示領域に文字を記載したものであり、銘板として使用できる。
＜第１実施形態＞
次に第１実施形態について説明する。図２は本考案の第１実施形態に係る装飾シート示すものであり、（ａ）は観察状態を示す模式図、（ｂ）は製造した装飾シートを示す写真、（ｃ）は（ａ）中のＣ−Ｃ線に相当する拡大断面図である。
【００３４】
第１実施形態に係る装飾シートは、図１（ｃ）中の第１インク層１１と第２インク層１３とを同じ銀色の鏡面インクで形成した。このため、図２（ａ）に示すように、「ＨＤ」と表示した表示領域３４の周囲には、透明インク層３２が形成され、更にその周囲に第１インク層３１と第２インク層３３とが形成される。ここで、図２（ａ）において、第１インク層３１と第２インク層３３とは同色で区別できないため、境界に二点鎖線を記載した。また、「Ｄ」を表示する表示領域３４の中抜き部も透明インク層３２と第１インク層３１、第２インク層３３とが隣接して配置される。なお、基材２０は、長円形のものを使用している。
【００３５】
図２（ｂ）で示した装飾シート４０は、表示領域３４として「技光堂」の文字を表記したものである。本例では、第１インク層３１、第２インク層３３を形成する鏡面インクとして、「セイコーアドバンス  Ｎ７００ＥＸシルバー  高輝度インク」を使用した。また、透明インク層３２を形成するＵＶインクとしては、「セイコーアドバンス  ＵＶ５４１０−７  高透明インク」を使用した。
【００３６】
なお、第１インク層３１及び第２インク層３３の厚さ寸法を４μｍ〜１５μｍ、透明インク層３２の厚さ寸法を２０μｍ〜１００μｍとした。更に、基材２０は、ＰＥＴ（ポリエステル）製の透明薄板であり、厚さ寸法０．１ｍｍのものを使用した。なお、基材２０としては、他の透明な合成樹脂、例えばポリカーボネート、アクリル等を使用でき、厚さ寸法も必要に応じて変更できる。
【００３７】
図２（ｂ）に示すように、本実施形態に係る装飾シート４０は、「技光堂」を表した表示領域３４が第１インク層３１及び第２インク層３３からなる背景から、透明インク層３２の厚さ分だけ立体的に観察される。またこの立体感は、袋状領域３５の作用により一層大きく視認される。
【００３８】
＜第２実施形態＞
次に第２実施形態について説明する。図３は本考案の第２実施形態に係る装飾シートを示すものであり、（ａ）は装飾シート断面を示す模式図、（ｂ）は観察状態を示す模式図、（ｃ）は製造した装飾シートを示す写真である。
【００３９】
第２実施形態に係る装飾シート５０は、図３（ａ）に示すように、第１インク層５１を黒色インク、第２インク層５３を銀色の鏡面インクで形成した。また、第１インク層５１を表示領域５４の輪郭から所定寸法だけ離して基材２０の全面に配置した。このため、図３（ｂ）に示すように、「ＨＤ」と表示した銀色の第２インク層３３が現れる表示領域３４の周囲には、透明インク層５２が表示され、更にその周囲に黒色の第１インク層５１が表示される。また、「Ｄ」を表示する表示領域５４の中抜き部も透明インク層５２と第１インク層５１とが隣接して配置される。なお、基材２０は、長円形のものを使用している。
【００４０】
図３（ｃ）で示した装飾シート６０は、表示領域５４として「技光堂」の文字を表記したものである。本例では、第１インク層５１を黒色インク、第２インク層５３を形成する鏡面インクとして、「セイコーアドバンス  Ｎ７００ＥＸシルバー  高輝度インク」を使用した。また、同じく透明インク層５２を形成するＵＶインクとしては、「セイコーアドバンス  ＵＶ５４１０−７  高透明インク」を使用した。
【００４１】
また、第１インク層５１及び第２インク層５３の厚さ寸法を４μｍ〜１５μｍ、透明インク層５２の厚さ寸法を２０μｍ〜１００μｍとした。更に、基材２０は、ＰＥＴ（ポリエステル）製の透明薄板であり、厚さ寸法０．１ｍｍのものを使用した。なお、基材２０としては、他の透明な合成樹脂、例えばポリカーボネート、アクリル等を使用でき、厚さ寸法も必要に応じて変更できる。
【００４２】
図３（ｃ）に示すように、本実施形態に係る装飾シート６０は、「技光堂」を表した表示領域５４が銀色の第２インク層５３で表示され、黒色の第１インク層５１で形成した背景から、透明インク層５２の厚さ分だけ立体的に観察される。またこの立体感は、袋状領域５５の作用により一層大きく視認される。
【００４３】
＜第３実施形態＞
次に第３実施形態について説明する。図４は本考案の第３実施形態に係る装飾シートを示すものであり、（ａ）は背景の模様を示す模式図、（ｂ）は断面を示す模式図、図５は本考案の第３実施形態を示すものであり、（ａ）は観察状態を示す模式図、（ｂ）は製造した装飾シートを示す写真である。
【００４４】
第３実施形態に係る装飾シートは、図５（ａ）に示すように、表示領域８４が背景模様表示部７０中に表示される。背景模様表示部７０は、所定の図形を縞模様で描いている。この背景模様表示部７０の縞模様は、細線を連続して描いて形成している。
【００４５】
例えば図４（ａ）に示す背景模様表示部７０は、細線で重なった五芒星形を描いている。大小の各五芒星形は異なる方向に規則的に形成された細線で描かれている。この細線は図４（ｂ）に示すように、基材２０にＵＶインクで規則的に複数の細線７１を描き、この細線７１を覆って第２インク層８３を形成することにより形成する。
【００４６】
本実施形態では、図５（ｂ）に示すように、表示領域８４、この表示領域８４の周囲に形成する第１インク層８１、透明インク層８２を除いた領域を背景模様表示部７０とする。なお、基材２０は、長円形のものを使用している。
【００４７】
図５（ｂ）で示した装飾シート９０は、表示領域８４として「Ｇｉｋｏｄｏ」の文字を表記したものである。本例では、第１インク層８１と、第２インク層８３を形成する鏡面インクとして、「セイコーアドバンス  Ｎ７００ＥＸシルバー  高輝度インク」を使用した。また、同じく透明インク層８２及び細線７１を形成するＵＶインクとしては、「セイコーアドバンス  ＵＶ５４１０−７  高透明インク」を使用した。
【００４８】
また、第１インク層８１及び第２インク層８３の厚さ寸法を４μｍ〜１５μｍ、透明インク層８２の厚さ寸法を２０μｍ〜１００μｍとした。また、細線７１の幅寸法は、０．１ｍｍから０．４ｍｍとし、細線７１の間隔は、０．１ｍｍ〜０．６ｍｍ程度とする。更に、基材２０は、ＰＥＴ（ポリエステル）製の透明薄板であり、厚さ寸法０．１ｍｍのものを使用した。なお、基材２０としては、他の透明な合成樹脂、例えばポリカーボネート、アクリル等を使用でき、厚さ寸法も必要に応じて変更できる。
【００４９】
このような構成により、本実施形態では、背景模様表示部７０に四角錐（ピラミッド）を上から観察したような模様を連続して表示している。
【００５０】
図５（ｂ）に示すように、本実施形態に係る装飾シート９０は、細線で描いた背景模様表示部７０中に「Ｇｉｋｏｄｏ」を表した表示領域８４が銀色の第２インク層８３で表示され、背景模様表示部７０から、透明インク層８２の厚さ分だけ立体的に観察される。またこの立体感は、袋領域の作用により一層大きく視認される。更に背景模様表示部７０は、観察方向が変わると模様の各部の輝度が変化する。
【００５１】
なお、上記各実施形態では、第１インク層を銀色又は金色、第２インク層の色を銀色として説明したが、これらの色を変更することができる。即ち、各インクの色は他の色味を持つ金属色、有彩色、又は無彩色とすることができる。このように各インクの色を変更することで様々なデザインの装飾シートを製造できる。また、上記各実施例では装飾シートとなお、上記各実施形態は、長円形の基材を使用した例を示したが、基板の形状は長円形に限らない。基材を長方形として名刺、葉書、パンフレット、書籍、その他の印刷物に貼り付けたり、各種製品の表示板等に使用したりすることができる。
【産業上の利用可能性】
【００５２】
本考案に係る装飾シートは、金属製や合成樹脂製の装飾シートに代えて使用して文字等の表示領域を立体的に表示して銘板、印刷物に等に適用できるので産業上の利用性がある。
【符号の説明】
【００５３】
１０：装飾シート
１０Ａ：観察側
１１：第１インク層
１２：透明インク層
１３：第２インク層
１４：表示領域
１５：袋状領域
２０：基材
２０Ａ：裏面
３１：第１インク層
３２：透明インク層
３３：第２インク層
３４：表示領域
３５：袋状領域
４０：装飾シート
５０：装飾シート
５１：第１インク層
５２：透明インク層
５３：第２インク層
５４：表示領域
５５：袋状領域
６０：装飾シート
７０：背景模様表示部
７１：細線
８１：第１インク層
８２：透明インク層
８３：第２インク層
８４：表示領域
９０：装飾シート
【図１】
0003205986.tif 000003
【図２】
0003205986.tif 000004
【図３】
0003205986.tif 000005
【図４】
0003205986.tif 000006
【図５】
0003205986.tif 000007